(57)【要約】【課題】蓋構成部材の全部又は一部に、合成樹脂製の押出中空成形体を用いてなる浴槽蓋の断熱性能を維持しつつ製作コストを抑えることができるようになした断熱浴槽蓋を提供する。【解決手段】蓋構成部材の全部又は一部に、合成樹脂製の押出中空成形体２を用いてなる浴槽蓋において、前記押出中空成形体２の中空部内を空気層５と発泡体層６の二層構造とした。押出中空成形体２はその中空部内ほゞ中央部に段差７を設けてあり、当該段差７から上面部を空気層５、段差７から下面部を発泡体層６の二層構造とした。【選択図】図１
2007330283.tif 000002
【特許請求の範囲】
【請求項１】
蓋構成部材の全部又は一部に、合成樹脂製の押出中空成形体を用いてなる浴槽蓋において、前記押出中空成形体の中空部内を空気層と発泡体層の二層構造としたことを特徴とする断熱浴槽蓋。
【請求項２】
押出中空成形体はその中空部内ほゞ中央部に段差を設けてあり、当該段差から上面部を空気層、段差から下面部を発泡体層の二層構造としたことを特徴とする請求項１記載の断熱浴槽蓋。
【請求項３】
押出中空成形体はその中空部内を上下に仕切る隔壁を形成してあり、当該隔壁の上面部を空気層、隔壁の下面部を発泡体層の二層構造としたことを特徴とする請求項１記載の断熱浴槽蓋。
【請求項４】
浴槽蓋がシャッター蓋または折り蓋である請求項１乃至請求項３記載の断熱浴槽蓋。
【発明の詳細な説明】
【技術分野】
【０００１】
本発明は浴槽内の湯温の低下を防ぐため浴槽の上面に被せる浴槽蓋に係り、特に断熱性を改善した断熱浴槽蓋に関する。
【背景技術】
【０００２】
浴槽内の湯温の低下を防ぐため、あるいは浴室内に湯気が放散するのを防ぐため浴槽の上面には浴槽蓋を被せるのが一般的である。
【０００３】
浴槽蓋の種類には、種々あり、押出成形による細長中空棒状体の複数本を軟質合成樹脂製の連結片を介して浴槽の上面を実質的に覆う大きさに連結してなる巻き込みの可能なシャッター蓋の他、幅広板状の中空部材同士を軟質合成樹脂製の連結片によって連結した折り蓋が知られている。
【０００４】
これら合成樹脂製の押出中空成形体は内部の空気が断熱層となって放熱を防ぐものであるが、浴室内の室温が特に低下する冬場においては断熱性能が著しく低下するという問題点がある。
【０００５】
そのため、下記特許文献に示されているように、浴槽蓋を構成する押出中空成形体の中空部内全部に合成樹脂発泡体を密に充填して断熱性能を向上させることが試みられている。
【特許文献１】特開２００１−１７０９８８号公報
【発明の開示】
【発明が解決しようとする課題】
【０００６】
上記のように、蓋構成部材の全部又は一部に、合成樹脂製の押出中空成形体を用いてなる浴槽蓋において、当該押出中空成形体の中空部内全部に合成樹脂発泡体を一体成形して室温が低下する冬場に対応できるようにしている。
【０００７】
しかしながら、中空部内の全部に合成樹脂発泡体を充填するのでは効果の割に製作コストが嵩み割高な浴槽蓋になるという問題点があり、これを改善すべく鋭意研究した結果、押出中空成形体における中空部内の全部に発泡体を充填せずに、一部を空気層として残すことによっても保温性能に関しては遜色がないことを見出し、本発明を完成するに至ったものである。
【０００８】
したがって、本発明は蓋構成部材の全部又は一部に、合成樹脂製の押出中空成形体を用いてなる浴槽蓋の断熱性能を維持しつつ製作コストを抑えることができるようになした浴槽蓋を提供することを目的とするものである。
【課題を解決するための手段】
【０００９】
上記目的を達成するための本発明の構成を詳述すれば、請求項１に係る発明は、蓋構成部材の全部又は一部に、合成樹脂製の押出中空成形体を用いてなる浴槽蓋において、前記押出中空成形体の中空部内を空気層と発泡体層の二層構造としたことを特徴とする断熱浴槽蓋である。
【００１０】
請求項２に係る発明は、押出中空成形体はその中空部内ほゞ中央部に段差を設けてあり、当該段差から上面部を空気層、段差から下面部を発泡体層の二層構造としたことを特徴とする請求項１記載の断熱浴槽蓋である。
【００１１】
また、請求項３に係る発明は、押出中空成形体はその中空部内を上下に仕切る隔壁を形成してあり、当該隔壁の上面部を空気層、隔壁の下面部を発泡体層の二層構造としたことを特徴とする請求項１記載の断熱浴槽蓋である。
【００１２】
さらに、請求項４に係る発明は、浴槽蓋がシャッター蓋または折り蓋である請求項１乃至請求項３記載の断熱浴槽である。
【発明の効果】
【００１３】
本発明断熱浴槽蓋は以上のように、押出中空成形体の当該中空部内全部に合成樹脂発泡体を充填するのではなく、中空部内を空気層と発泡体層の二層構造としたものであるから、製作コストを低く抑えることができると共に、押出中空成形体の浴槽側となる部分に発泡体層が設けられているので、充分な断熱性を確保することができる。
【発明を実施するための最良の形態】
【００１４】
以下、本発明断熱浴槽蓋の実施形態の一例を詳細に説明する。
図１は本発明を適用したシャッター蓋の一実施形態を示す断面図、図２はシャッター蓋の他の実施形態を示す断面図、図３は本発明を適用した折り蓋の一実施形態を示す断面図である。
【００１５】
図中１は合成樹脂製の押出中空成形体２の複数本を軟質合成樹脂製の連結片３を介して浴槽の上面を実質的に覆う大きさに連結してなる巻き込みの可能なシャッター蓋を示す。
【００１６】
シャッター蓋１の下面には滑り止め効果を示現する軟質合成樹脂製の滑り止め片４が設けられており、当該滑り止め片４は前記軟質合成樹脂製の連結片３と共に、シャッター蓋１が浴槽上面で滑動するのを抑止する。
【００１７】
本発明はこのような蓋構成部材の全部又は一部に、合成樹脂製の押出中空成形体２を用いてなる浴槽蓋に関するものであって、当該押出中空成形体２の中空部内を空気層５と発泡体層６の二層構造としたものである。
【００１８】
発泡体層６をなす合成樹脂成分としては、特に限定されるものではなく、樹脂成分としてスチロール樹脂、ウレタン樹脂、ポリエチレン樹脂、ポリプロピレン樹脂等が好適に用いられ、発泡倍率も５〜３０倍の範囲内で適宜決定することができる。また、発泡構造は連続気泡ではなく、独立気泡構造のものが特に好ましい。
【００１９】
押出中空成形体２の中空部内における空気層５と発泡体層６の容積割合は１：１〜１：２の範囲内で任意に決めることができる。押出中空成形体２の中空部内に発泡体層６を形成するには、一旦押出成形した成形体の中空部内の下面側、すなわち浴槽の上面に当接することとなる側に、別途用意した棒状の発泡体を挿着するようにしてもよいし、あるいは押出成形の際に、上面側が空気層５、下面側が発泡体層６になるようにして一体的に充填するようにすることも可能である。
【００２０】
なお、押出成形した中空成形体における中空部内の下面側に棒状の発泡体を挿着する場合、図１に示すように押出中空成形体２の中空部内ほゞ中央部に段差７，７を設けておくと、挿着の際のガイドとなるので作業性が良好になると共に、使用中でも発泡体層６が遊動するのを防ぐことができる。
【００２１】
図２に示す実施例は押出中空成形体２の中空部内に隔壁８を形成して、中空部内を上下に仕切るようになし、当該隔壁８の上面部を空気層５、隔壁８の下面部を発泡体層６の二層構造としたものである。これによった場合も、浴槽側となる部分に発泡体層６が設けられるので良好な断熱効果が得られる。
【００２２】
次に、図３は折り蓋の実施例を示すもので、前記シャッター蓋の場合よりは格段に幅広板状となした押出中空成形体９同士を軟質合成樹脂製の連結片１０によって交互に連結し折り畳みを可能としたものであり、当該押出中空成形体９の中空部内を空気層５と発泡体層６の二層構造としたものである。
【００２３】
この実施例によった場合も、内部中空のまゝの折り蓋と較べて断熱性能の良好な折り蓋を安価に提供することができる。
【図面の簡単な説明】
【００２４】
【図１】本発明を適用したシャッター蓋の一実施形態を示す断面図である。
【図２】シャッター蓋の他の実施形態を示す断面図である。
【図３】本発明を適用した折り蓋の一実施形態を示す断面図である。
【符号の説明】
【００２５】
１：シャッター蓋
２：押出中空成形体
３：連結片
４：滑り止め片
５：空気層
６：発泡体層
７：段差
８：隔壁
９：押出中空成形体
１０：連結片
【図１】
2007330283.tif 000003
【図２】
2007330283.tif 000004
【図３】
2007330283.tif 000005